(57)【特許請求の範囲】
【請求項１】
底型枠と、該底型枠の外周端部に一方の端部が接続され、一方の端部が接続された接続部を回動部として縦方向に回動可能にされた側型枠と、前記底型枠上に載置される、放射能遮蔽部材により構成された鋼製の埋め殺し内型枠とを有し、
前記埋め殺し内型枠は、底壁及び底壁から立ち上がる側壁によりボックス状をなすと共に、前記内型枠内部には仕切り壁が設けられて構成され、
前記底型枠上に、前記内型枠の上面開口部を密閉する逆さまの状態で内型枠を載置し、前記側型枠を閉じて箱状をなす型枠装置とし、側型枠と前記内型枠の側壁との隙間及び内型枠の底壁面上にコンクリート部材を充填し、前記コンクリート部材の固化後、前記側型枠を開放して脱型し、前記埋め殺し内型枠を放射能遮蔽部材として構成した、
ことを特徴とする放射性廃棄物用コンクリートボックスの製造方法。
【請求項２】
底型枠と、該底型枠の外周端部に一方の端部が接続され、一方の端部が接続された接続部を回動部として縦方向に回動可能にされた側型枠と、前記底型枠上に載置される、放射能遮蔽部材により構成された埋め殺し内型枠とを有し、
前記内型枠は、底壁及び底壁から立ち上がる側壁によりボックス状をなすと共に、前記側壁は水平方向に向かって波打つ波形側壁として構成してなり、
前記底型枠上に、前記内型枠の上面開口部を密閉する逆さまの状態で内型枠を載置し、前記側型枠を閉じて箱状をなす型枠装置とし、側型枠と前記内型枠の側壁との隙間及び内型枠の底壁面上にコンクリート部材を充填し、前記コンクリート部材の固化後、前記側型枠を開放して脱型し、前記埋め殺し内型枠を放射能遮蔽部材として構成した、
ことを特徴とする放射性廃棄物用コンクリートボックスの製造方法。
【請求項３】
底型枠と、該底型枠の外周端部に一方の端部が接続され、一方の端部が接続された接続部を回動部として縦方向に回動可能にされた側型枠と、前記底型枠上に載置される放射能遮蔽部材により構成された埋め殺し内型枠とを有し、
前記内型枠は、縦補強部材及び横補強部材により略格子状のボックス型に形成された補強枠材を被覆するボックス状をなす放射能遮蔽部材により構成されてなり、
前記底型枠上に、前記内型枠の上面開口部を密閉する逆さまの状態で、前記放射能遮蔽部材により被覆された補強部材からなる内型枠を載置し、前記側型枠を閉じて箱状をなす型枠装置とし、側型枠と前記内型枠の側壁との隙間及び内型枠の底壁面上にコンクリート部材を充填し、前記コンクリート部材の固化後、前記側型枠を開放して脱型し、前記埋め殺し内型枠を放射能遮蔽部材として構成した、
ことを特徴とする放射性廃棄物用コンクリートボックスの製造方法。
【発明の詳細な説明】
【技術分野】
【０００１】
本発明は、放射性廃棄物用コンクリートボックスの製造方法に関するものである。
【背景技術】
【０００２】
従来より、放射性廃棄物の収納容器については、各種提案がなされている。
【０００３】
コンクリート製の放射性廃棄物収納容器を製造する際に、例えば鉛製の内張シートを容器の内側に貼着して用いると共に、これを前記コンクリートと一体化させて一体成形し、コンクリート、並びに前記鉛製の内張シートとの複合体によって放射性廃棄物の収納容器を形成する提案がなされている。
【０００４】
また、前記コンクリート製収納容器の製造に使用されるコンクリート材料自体などについても各種発明や提案がなされており、特開２００１−２０１５９６号公報に記載された発明のように、放射線の遮蔽率や収納容器の製品強度の向上を企図した技術が一般に知られている。
【先行技術文献】
【特許文献】
【０００５】
【特許文献１】特開２００１−２０１５９６号公報
【発明の概要】
【発明が解決しようとする課題】
【０００６】
かくして、本発明は前記従来の提案をさらに改良を加え、促進したものであって、より一層放射線の遮蔽率を向上させることが出来、かつ、例えば放射性廃棄物の収納容器自体の製品強度も向上させると共に、当該製品の軽量化をも図れ、さらには製造工程が比較的簡易にしうるため、収納容器の製造コストを安価に出来る放射性廃棄物用コンクリートボックスの製造方法を提供することを目的とするものである。
【課題を解決するための手段】
【０００７】
本発明による放射性廃棄物用コンクリートボックスの製造方法は、
底型枠と、該底型枠の外周端部に一方の端部が接続され、一方の端部が接続された接続部を回動部として縦方向に回動可能にされた側型枠と、前記底型枠上に載置される、放射能遮蔽部材により構成された鋼製の埋め殺し内型枠とを有し、
前記埋め殺し内型枠は、底壁及び底壁から立ち上がる側壁によりボックス状をなすと共に、前記内型枠内部には仕切り壁が設けられて構成され、
前記底型枠上に、前記内型枠の上面開口部を密閉する逆さまの状態で内型枠を載置し、前記側型枠を閉じて箱状をなす型枠装置とし、側型枠と前記内型枠の側壁との隙間及び内型枠の底壁面上にコンクリート部材を充填し、前記コンクリート部材の固化後、前記側型枠を開放して脱型し、前記埋め殺し内型枠を放射能遮蔽部材として構成した、
ことを特徴とし、
または、
底型枠と、該底型枠の外周端部に一方の端部が接続され、一方の端部が接続された接続部を回動部として縦方向に回動可能にされた側型枠と、前記底型枠上に載置される、放射能遮蔽部材により構成された埋め殺し内型枠とを有し、
前記内型枠は、底壁及び底壁から立ち上がる側壁によりボックス状をなすと共に、前記側壁は水平方向に向かって波打つ波形側壁として構成してなり、
前記底型枠上に、前記内型枠の上面開口部を密閉する逆さまの状態で内型枠を載置し、前記側型枠を閉じて箱状をなす型枠装置とし、側型枠と前記内型枠の側壁との隙間及び内型枠の底壁面上にコンクリート部材を充填し、前記コンクリート部材の固化後、前記側型枠を開放して脱型し、前記埋め殺し内型枠を放射能遮蔽部材として構成した、
ことを特徴とし、
または、
底型枠と、該底型枠の外周端部に一方の端部が接続され、一方の端部が接続された接続部を回動部として縦方向に回動可能にされた側型枠と、前記底型枠上に載置される放射能遮蔽部材により構成された埋め殺し内型枠とを有し、
前記内型枠は、縦補強部材及び横補強部材により略格子状のボックス型に形成された補強枠材を被覆するボックス状をなす放射能遮蔽部材により構成されてなり、
前記底型枠上に、前記内型枠の上面開口部を密閉する逆さまの状態で、前記放射能遮蔽部材により被覆された補強部材からなる内型枠を載置し、前記側型枠を閉じて箱状をなす型枠装置とし、側型枠と前記内型枠の側壁との隙間及び内型枠の底壁面上にコンクリート部材を充填し、前記コンクリート部材の固化後、前記側型枠を開放して脱型し、前記埋め殺し内型枠を放射能遮蔽部材として構成した、
ことを特徴とするものである。
【発明の効果】
【０００８】
本発明によれば、より一層放射線の遮蔽率を向上させることが出来、かつ、例えば放射性廃棄物の収納容器自体の製品強度も向上させると共に、当該製品の軽量化をも図れ、さらには製造工程が比較的簡易にしうるため、収納容器の製造コストを安価に出来るなど優れた効果を奏する。
【図面の簡単な説明】
【０００９】
【図１】実施例１の構成を説明する説明図（１）である。
【図２】実施例１の構成を説明する説明図（２）である。
【図３】実施例１の構成を説明する説明図（３）である。
【図４】実施例４の構成を説明する説明図（１）である。
【図５】実施例４の構成を説明する説明図（２）である。
【図６】実施例４の構成を説明する説明図（３）である。
【図７】実施例４の構成を説明する説明図（４）である。
【図８】実施例４の構成を説明する説明図（５）である。
【図９】図９（ｂ）、（ｃ）は、実施例２乃至実施例３の構成を説明する説明図（１）である。
【図１０】図１０（ｂ）、（ｃ）は、実施例２乃至実施例３の構成を説明する説明図（２）である。
【発明を実施するための最良の形態】
【００１０】
以下、本発明を図に示す実施例に基づいて説明する。
【実施例１】
【００１１】
図１乃至図３は、実施例1の構成を説明する説明図である。
【００１２】
本実施例において、型枠装置１は、略方形状をなす底型枠２を有している。
【００１３】
そして、該底型枠２の四方外周端面に一方の端部が接続され、該接続部を回動部３として構成されて、縦方向に向かい回動可能とされた側型枠４・・・・を有している。さらに、前記略方形状をなす底型枠２上に載置される、放射能遮蔽部材、例えば鋼製部材により構成された埋め殺し内型枠５を有している。
【００１４】
そして、この内型枠５は、図から理解されるように、底壁６及び底壁６から立ち上がる側壁７・・・により四角体状の箱形形状をなして構成されている。
【００１５】
さらに、前記側壁７の外側面には、外部に向かって張り出す複数本の縦状リブ８・・・が設けられている。この縦状リブ８・・・は、四角体状の箱形形状をなす埋め殺し内型枠５が潰れないよう一定の強度を保つために設けられたものである。
【００１６】
しかして、所定箇所に予め設置された前記底型枠２上に、前記埋め殺し内型枠５の上面開口部を密閉する状態、すなわち逆さまの状態にして、埋め殺し内型枠５を載置する（図1参照）。
【００１７】
次いで、前記４つの側型枠４・・・を閉じて四角体状の箱状をなす型枠装置１とし、側型枠４と前記埋め殺し内型枠５の側壁７との隙間及び内型枠５の底壁６面上にコンクリート部材１０を充填し、前記コンクリート部材１０の固化後、前記側型枠４・・・を開放して脱型し、前記埋め殺し内型枠５を放射能遮蔽部材として構成するものである。
【００１８】
そして、脱型され、取り出された放射性廃棄物用コンクリートボックス１１内には放射性廃棄物が収納される。その後は、所定の箇所に載置されるが、あまり場所をとることが出来ないので、複数段に山積みされて載置される。従って、山積みされることによる重量に耐えうるよう、前記埋め殺し用内型枠５に設けた複数本の縦状リブ８・・・が補強部材となっている。
【００１９】
しかるにこのような放射性廃棄物用コンクリートボックス１１であれば、コンクリート部材による放射線遮蔽のみならず、埋め殺しした内型枠５、すなわち放射線遮蔽率の高い鋼製部さらに鋼材などの放射能遮蔽部材によって、放射線を遮蔽することが出来る。
【実施例２】
【００２０】
次に、図９（ｂ）及び図１０（ｂ）に実施例２の構成を説明する。
【００２１】
本実施例では埋め殺し内型枠５について特徴がある。すなわち、本実施例での埋め殺し内型枠５は、底壁６及び底壁６から立ち上がる側壁７・・・により四角体状の箱形形状をなして構成されている。さらに、埋め殺し内型枠５の内部には十字状に仕切る仕切り壁１２が設けられている。
【００２２】
このような放射能遮蔽部材により構成された仕切り壁１２が設けられることにより、充填する放射性廃棄物の充填量を減らすことなく、放射線遮蔽効果を向上させることが出来るのである。
【００２３】
すなわち、仕切り壁１２によっても充填された放射性廃棄物の放射線の遮蔽が行われるのであり、もって該仕切り壁１２をさらに多く設ければ、さらに放射線遮蔽効果を向上させることが出来る。
【００２４】
また、仕切り壁１２を設けることにより、高く積み上げるための収納ボックス自体の強度アップを図ることも出来る。
【実施例３】
【００２５】
図９（ｃ）及び図１０（ｃ）は実施例３の構成を説明する説明図である。
【００２６】
本実施例では埋め殺し内型枠５の構成の変形例を示している。すなわち、本実施例での埋め殺し内型枠５は、底壁６及び底壁６から立ち上がる側壁７・・・により四角体状の箱形形状をなして構成されているのはほかの実施例と同様であるが、前記側壁７は水平方向に向かって波打つ波形側壁７として構成したものである。
【００２７】
すなわち、水平方向に向かって波打つ波形側壁７として構成したことによって、充填された放射性廃棄物の放射線遮蔽の向上が期待できる。
【００２８】
また、水平方向に向かって波打つ波形側壁７として構成したことにより、側壁７の強度を簡単な構造変更でアップでき、ひいては高く積み上げるための収納ボックス自体の強度アップが図れることになる。
【実施例４】
【００２９】
図４乃至図８は、実施例４の構成を説明する説明図である。
【００３０】
実施例４においても、埋め殺し内型枠５の変形例を示したものである。
【００３１】
本実施例では、埋め殺し内型枠５を補強する部材として、縦補強部材及び横補強部材により略格子状の外形をなし、略四角体形状のボックス型に形成された補強枠材１３を有する。そして、該補強枠材１３は、放射能遮蔽部材、例えば鋼製部材で形成されている。
【００３２】
次に、符号１４は、埋め殺し内型枠５となる被覆用放射能遮蔽部材を示すものであり、該被覆用放射能遮蔽部材１４は、組み立てた状態で前記補強枠材１３を被覆する様、四角体形状のボックス状をなして形成されている。該被覆用放射能遮蔽部材１４についても鋼製部材などの放射能遮蔽部材で形成されている。
【００３３】
当該埋め殺し内型枠５の底型枠２上への設置は図４乃至図８に示す通りであり、図４に示すように、補強枠材１３を逆さにして底型枠２上に設置し、その上から被覆用放射能遮蔽部材１４を被せる（図５参照）。
【００３４】
ついで、前記４つの側型枠４・・・を閉じて四角体状の箱状をなす型枠装置１とし、側型枠４と前記埋め殺し内型枠５の被覆用放射能遮蔽部材１４で形成された側壁７との隙間及び内型枠５の被覆用放射能遮蔽部材１４で形成された底壁６面上にコンクリート部材１０を充填し、前記コンクリート部材１０の固化後、前記側型枠４・・・を開放して脱型すると共に、前記補強枠材１３を離脱する。そして、前記埋め殺し内型枠５を放射能遮蔽部材として構成する。
【００３５】
なお、前記補強枠材１３を離脱させずにそのまま内側にセットしておくことが考えられる。若干重量は重くなるが、内側にセットされた補強枠材１３により放射線の透過が減衰され、放射線の遮蔽率向上が期待される。
【００３６】
脱型され、取り出された放射性廃棄物用コンクリートボックス１１内には放射性廃棄物が収納される。
【００３７】
そして、その後、所定の箇所まで、例えば運搬され、載置されるが、あまり場所をとることが出来ないので、複数段に山積みされて載置される。そこで、従って、山積みされることによる重量に耐えうるよう、前記埋め殺し用内型枠５に使用した補強枠材１３が強力な製品強度の補強部材となっている。
【００３８】
しかるにこのような放射性廃棄物用コンクリートボックス１１であれば、コンクリート部材による放射線遮蔽のみならず、埋め殺しした内型枠５、すなわち放射線遮蔽率の高い鋼製部材などの放射能遮蔽部材によって、大幅に放射線を遮蔽することが出来ることになる。
【符号の説明】
【００３９】
１    型枠装置
２    底型枠
３    回動部
４    側型枠
５    埋め殺し内型枠
６    底壁
７    側壁
８    縦状リブ
１０  コンクリート部材
１１  放射性廃棄物用コンクリートボックス
１２  仕切り壁
１３  補強枠材
１４  被覆用放射能遮蔽部材
【図１】
0006021244.tif 000002
【図２】
0006021244.tif 000003
【図３】
0006021244.tif 000004
【図４】
0006021244.tif 000005
【図５】
0006021244.tif 000006
【図６】
0006021244.tif 000007
【図７】
0006021244.tif 000008
【図８】
0006021244.tif 000009
【図９】
0006021244.tif 000010
【図１０】
0006021244.tif 000011